(57)【要約】  映像信号が入力される映像入力部（１１）と、映像入力部（１１）から入力された映像信号を表示する表示データを生成する映像処理部（１２）と、映像入力部（１１）から入力された映像信号を映像処理部（１２）とは異なる映像処理を行って表示データを生成する映像処理部（１３）と、映像処理部（１２）によって生成される表示データと映像処理部（１３）によって生成される表示データとを１つの画面内に表示するように表示データの統合を行う映像統合部（１４）と、映像統合部（１４）によって統合された表示データを表示する表示部（１５）と、を有する。
2010113286.tif 000002
【特許請求の範囲】
【請求項１】
映像信号が入力される映像入力部と、
前記映像入力部から入力された映像信号を表示する表示データを生成する第１の映像処理部と、
前記映像入力部から入力された映像信号を前記第１の映像処理部とは異なる映像処理を行って表示データを生成する第２の映像処理部と、
前記第１の映像処理部によって生成される表示データと前記第２の映像処理部によって生成される表示データとを１つの画面内に表示するように表示データの統合を行う映像統合部と、
前記映像統合部によって統合された表示データを表示する表示部と、
を有することを特徴とする表示装置。
【請求項２】
前記第２の映像処理は、前記第１の映像処理部が生成する表示データとは表示される色が異なる表示データを生成する
ことを特徴とする請求項１記載の表示装置。
【請求項３】
前記第２の映像処理は、前記映像入力部から入力される映像信号が印刷装置によって印刷される場合を表す表示データを生成する
ことを特徴とする請求項１記載の表示装置。
【請求項４】
前記映像統合部は、前記第１または第２の映像処理部によって生成される表示データの一部に、他方の映像処理部によって生成される表示データを重ねて表示するように統合する
ことを特徴とする請求項１から請求項３にうちいずれか１項に記載の表示装置。
【請求項５】
前記映像統合部は、前記第１の映像処理部によって生成される表示データと前記第２の映像処理部によって生成される表示データとを並べて表示する
ことを特徴とする請求項１から請求項３にうちいずれか１項に記載の表示装置。
【請求項６】
入力される映像信号を表示する第１の表示データを生成し、
前記第１の表示データを生成する映像処理とは異なる映像処理によって前記入力される映像信号を表示する第２の表示データを生成し、
前記第１の表示データと前記第２の表示データとを１つの画面内に表示するように表示データの統合を行い、
前記統合された表示データを表示装置に表示する
ことを特徴とする表示方法。
【発明の詳細な説明】
【技術分野】
【０００１】
本発明は、１つの画面内に複数の表示データを表示する表示装置、表示方法に関する。
【背景技術】
【０００２】
道路標識や公官庁ウェブページなどの公共表示は、全ての人が正しく内容を読み取れることが望まれている。しかし日本人では、男性の２０人に１人、女性の５００人に１人の割合で、赤緑色覚異常があり、これらの人にとっては、赤と緑や赤と黒など、読み取りづらい特定の色の組合せが存在するといわれている。
すなわち、公共デザイン業務を中心に、色覚異常者が見た際の視認性を考慮し、コンテンツ制作時において、健常者であっても色覚異常者であっても、正しく内容を読み取ることができるコンテンツを制作しようとするＵＤ（Universal Design）が求められている。【０００３】
ここで、色覚異常者が見た際の見栄えを確認するための映像処理機能（例えば、色覚Emulation機能）が提案されている。この提案された映像処理機能においては、通常表示と画面表示を切り替えることによって確認を行うことができる色覚シミュレーションモニター（非特許文献１参照）がある。
なお、２つの画面を同時に表示するものとして特許文献１の技術がある。【０００４】
【特許文献１】特開２００８−５９０８８号
【非特許文献１】色覚シミュレーションモニター、“カラーユニバーサルデザインを実践するには”、［ｏｎｌｉｎｅ］、［平成２１年３月２６日検索］、インターネット〈ＵＲＬ：http://www.eizo.co.jp/products/u/cud02/index.html〉
【発明の開示】
【発明が解決しようとする課題】
【０００５】
しかしながら、上述の色覚シミュレーションモニターでは、健常者向けの色使いが確認できないため、コンテンツ制作時には、通常表示に切り替えて健常者が好む色を選択した後、色覚Emulation機能による表示に切り替えて色覚異常者でも内容が判別できるか確認する必要がある。これにより、表示内容を確認する場合、画面表示を切り替える煩雑さが生じてしまい、作業性が低下してしまうという課題があった。
また、この課題は、１つの映像を画面表示と印刷用など複数用途に用い、それぞれ異なる見栄えを確認するデジタルコンテンツ製作においても、同様に生じる。【０００６】
なお、Picture In Picture (PiP)、Picture By Picture （PbP）などの技術もあるが、これは、１つの表示装置に複数画面を同時表示する技術である。しかしこれらは、異なる映像入力を同時に表示することを目的としたものであり、上記課題を解決するものではない。また、特許文献１の技術も検索して得られた２つ画像を同時に表示するものであり、上記課題を解決するものではない。【０００７】
本発明は、このような事情を考慮してなされたもので、その目的は、１つの映像に対して、表示する目的毎に異なる複数の映像処理を行い、利用者が作業を行う１つの画面内にその両方を表示することができる表示装置、表示方法を提供することにある。
【課題を解決するための手段】
【０００８】
上記目的を達成するために、本発明は、映像信号が入力される映像入力部と、前記映像入力部から入力された映像信号を表示する表示データを生成する第１の映像処理部と、前記映像入力部から入力された映像信号を前記第１の映像処理部とは異なる映像処理を行って表示データを生成する第２の映像処理部と、前記第１の映像処理部によって生成される表示データと前記第２の映像処理部によって生成される表示データとを１つの画面内に表示するように表示データの統合を行う映像統合部と、前記映像統合部によって統合された表示データを表示する表示部と、を有することを特徴とする。
【発明の効果】
【０００９】
本発明によれば、１つの映像信号から映像処理が異なる表示データを生成し、１つの画面上に表示することができる。
【図面の簡単な説明】
【００１０】
【図１】この発明の一実施形態による表示装置１の構成を示す概略ブロック図である。
【図２】表示部１５によって表示される画像の一例を表す図である。
【図３】表示部１５によって表示される画像の一例を表す図である。
【符号の説明】
【００１１】
１  表示装置
２  映像信号供給装置
１１  映像入力部
１２、１３  映像処理部
１４  映像統合部
１５  表示部
【発明を実施するための最良の形態】
【００１２】
以下、本発明の一実施形態による表示装置について図面を参照して説明する。
図１は、この発明の一実施形態による表示装置１の構成を示す概略ブロック図である。
この実施形態において、表示装置１は、１映像入力に対して異なる映像処理を同時に行い、主画面と副画面として同時表示する機能を有する。すなわち、利用者は、画面表示の煩雑な切り替えを行うことなく、１映像に対する複数の使用目的の見栄えを瞬時に確認することができる。特に、表示装置１は、健常者と色覚異常者との両者がともに正しく内容を認識できる画像を制作するＵＤの用途や、画面表示に加え印刷を考慮したデジタルコンテンツ制作用途などに用いることができる。【００１３】
図１において、表示装置１は、映像入力部１１と、映像処理部１２と、映像処理部１３と、映像統合部１４と、表示部１５とを有し、映像信号供給装置２に接続されている。映像信号供給装置２は、映像信号を表示装置１に出力する機能を有しており、例えば、ＰＣ（パーソナルコンピュータ）や、ビデオデッキなどの再生装置である。
映像入力部１１は、映像信号供給装置２から映像信号が入力される。
映像処理部１２は、映像入力部１１から入力された映像信号を表示する表示データを生成する。この表示データとしては、例えば、第１の色覚に従った色で表示するためのデータである。この第１の色覚とは、一般的な色覚のユーザが画面を視認した場合に、その画面の映像を正しく視認することができる色覚である。【００１４】
映像処理部１３は、映像入力部１１から入力された映像信号を映像処理部１２とは異なる映像処理を行って表示データを生成する。
この映像処理部１３は、映像処理部１２が生成する表示データとは表示される色が異なる表示データを生成する機能を有する。この表示データとしては、例えば、第２の色覚に従った色で表示するためのデータである。この第２の色覚とは、一般的な色覚とは異なる色覚であり、例えば、赤と緑の組み合わせや、赤と黒との組み合わせの映像を正しく読み取ることがしにくい色覚である。したがって、この映像処理部１３は、映像入力部１１から入力される映像信号を、第２の色覚のユーザであっても映像の内容を正しく読み取ることができる表示データに、色変換する。この映像信号から第２の色覚への色変換処理は、一般的な技術を利用することが可能である。
また、映像処理部１３は、映像入力部１１から入力される映像信号が印刷装置によって印刷される場合を表す表示データである印刷プレビュー画面を生成する機能を有する。【００１５】
このように、映像処理部１２と映像処理部１３は、１つの映像信号の入力から、２つの独立した異なる映像処理を行う。【００１６】
映像統合部１４は、映像処理部１２によって生成される表示データと映像処理部１３によって生成される表示データとを１つの画面内に表示するように表示データの統合を行う。
映像統合部１４は、映像処理部１２によって生成される表示データの一部に、映像処理部１３によって生成される表示データを重ねて表示するように統合する。ここで、映像統合１４は、映像処理部１３によって生成される表示データの一部に、映像処理部１２によって生成される表示データを重ねて表示するように統合することもできる。さらにまた、映像統合部１４は、映像処理部１２によって生成される表示データと映像処理部１３によって生成される表示データとを１つの画面内に並べて表示する統合を行う機能を有する。【００１７】
表示部１５は、映像統合部１４によって統合された表示データを表示する。この表示部１５は、例えば、ＬＣＤ（Liquid Crystal Display）パネル、ＰＤＰ（Plasma Display Panel）等である。【００１８】
次に、図１の構成における表示装置１の動作について説明する。
映像信号供給装置２から映像信号が出力されると、表示装置１の映像入力部１１は、入力される映像信号を受信する。映像入力部１１に映像信号が入力されると、映像処理部１２は、映像信号に映像処理を行い、第１の色覚に応じた表示データを生成する。映像処理部１３は、映像処理部１２が映像処理を行うことと並行して、映像入力部１１から入力される映像信号に、第２の色覚に応じた表示データを生成する映像処理を行う。【００１９】
映像統合部１４は、映像処理部１２によって生成された表示データの画像の一部に、映像処理部１３によって生成された表示データを重ねて１画面内に表示する統合処理を行う。映像統合１４によって統合処理が行われると、表示部１５は、この統合処理された後の表示データを画面上に表示する。【００２０】
図２は、表示部１５によって表示された画像の一例を表す図である。この図において、映像信号として映像信号Ａが映像入力部１１に入力されると、映像処理部１２によって生成された表示データが表示部１５の画面上に主画面として表示される（図２符号（ａ））とともに、映像処理部１３によって生成された表示データが、当該主画面の上に重ねて副画面として表示部１５に表示される（図２符号（ａ））。【００２１】
以上説明したように、この実施形態によれば、１表示装置内に第１の色覚に応じた表示として主画面（健常者向け表示）と第２の色覚に応じた表示として副画面（色覚Emulation表示）との両方の映像を同時に表示することができる。これにより、複数用途の映像を同時表示することができるため、利用者にとっては、自分の作業結果を瞬時に確認しながら映像制作業務を進めることが可能となる。【００２２】
以上説明した実施形態においては、主画面上に副画面を重ねて表示する場合について説明したが、映像統合部１４は、映像処理部１２によって生成される表示データと映像処理部１３によって生成される表示データとを並べて表示するようにしてもよい。図３は、主画面と副画面とを並べて表示した場合の一例を表す図である。この図に示すように、映像統合部１４は、表示部１５の画面内において、主画面を左側に、副画面を右側にレイアウトして表示する統合処理を行う。なお、このレイアウトは、適宜変更することが可能であり、主画面を右側、副画面を左側にしてもよいし、上下に並べるようにしてもよい。【００２３】
また、上述した実施形態においては、映像処理部１３は、第２の色覚に応じた表示データを生成する場合について説明したが、映像入力部１１から入力される映像信号に応じた印刷プレビュー画面を生成するようにしてもよい。これにより、印刷プレビューなど別の用途の映像を同時表示することができるため、利用者は、印刷結果をイメージしながら、映像制作業務を進めることができる。【００２４】
また、上述した実施形態において、映像処理部１２、映像処理部１３は、いずれか１つの映像処理は、スルー表示とし、映像処理を行った場合の表示データと、映像処理を行わない場合すなわち色変換や印刷プレビュー画面の生成等を行っていない表示データとを表示する構成であってもよい。【００２５】
このように、同じ映像信号から用途が異なる表示データを生成した際、画面の表示切り替えを行うことが不要となるため、ＵＤ対応あるいは、印刷対応など、複数用途を考慮したコンテンツ制作において、作業効率の改善を図ることができる。【００２６】
なお、上述した実施形態においては、表示装置１に映像処理部が２つ設けられる場合について説明したが、３つ以上設けるようにし、映像統合部１４が、それぞれの映像処理部によって生成される表示データを１つの画面上に表示するように統合して表示部１５に表示するようにしてもよい。【００２７】
また、図１における映像入力部１１、映像処理部１２、映像処理部１３、映像統合部１４、表示部１５の機能を実現するためのプログラムをコンピュータ読み取り可能な記録媒体に記録して、この記録媒体に記録されたプログラムをコンピュータシステムに読み込ませ、実行することにより表示処理を行ってもよい。なお、ここでいう「コンピュータシステム」とは、ＯＳや周辺機器等のハードウェアを含むものとする。【００２８】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。【００２９】
以上、この発明の実施形態について図面を参照して詳述してきたが、具体的な構成はこの実施形態に限られるものではなく、この発明の要旨を逸脱しない範囲の設計等も含まれる。
【図１】
2010113286.tif 000003
【図２】
2010113286.tif 000004
【図３】
2010113286.tif 000005
【国際調査報告】
2010113286.tif 000006
2010113286.tif 000007
2010113286.tif 000008
2010113286.tif 000009
2010113286.tif 000010
2010113286.tif 000011
2010113286.tif 000012
2010113286.tif 000013